(57)【要約】      （修正有）【課題】ポーチ内のポケットに血液測定器を収納したまま、ユーザが血液測定を行えるような仕様のポーチにおいて、検体のポーチ内壁への付着を防止し、かつ、測定器へのセンサ挿入などの測定操作が平易であるようなポーチを得る。【解決手段】ポーチ１本体の内部に測定器２が取り付け可能になっているポーチであって、ポーチ１本体は一辺を関節にして自由に開口可能であり、ポーチ１内部側の関節部分に、測定器２のセンサ挿入部２３を除く一部が連結可能となっており、ポーチ１内部を開口した際に測定器２が可動域を有する。【選択図】図５
2010051563.tif 000002
【特許請求の範囲】
【請求項１】
ポーチ本体の内部に測定器が取り付け可能になっているポーチであって、前記ポーチ本体は一辺を関節にして自由に開口可能であり、前記ポーチ内部側の前記関節部分に、測定器のセンサ挿入部を除く一部が連結可能となっており、前記ポーチ内部を開口した際に前記測定器が可動域を有することを特徴とするポーチ。
【請求項２】
少なくとも一部が透明であり幅を有するバンドが前記測定器を固定し、そのバンドの一部が、前記ポーチの前記関節部分と可動可能に連結していることを特徴とする、特許請求の範囲第１項に記載のポーチ。
【請求項３】
前記バンドが弾性および／または収縮性を有する、特許請求の範囲第２項に記載のポーチ。
【請求項４】
前記測定器前面の測定結果表示部を隠さないように、少なくとも２本の紐状部材が前記測定器を固定し、その少なくとも２本の紐状部材が、前記ポーチの前記関節部分と可動可能に連結していることを特徴とする、特許請求の範囲第１項に記載のポーチ。
【請求項５】
前記測定器前面の測定結果表示部を隠さないように、前記測定器の背面及び側面及び前面の一部を覆う剛性部材が、前記測定器を保持して固定し、前記剛性部材の一部が、前記ポーチの前記関節部分と可動可能に連結していることを特徴とする、特許請求の範囲第１項に記載のポーチ。
【請求項６】
前記ポーチの前記関節部分から可動可能のアームが伸び、そのアームの先端が、前記測定器の本体の一部と結合することを特徴とする、特許請求の範囲第１項に記載のポーチ。
【請求項７】
前記測定器の本体の一部が、前記測定器にストラップを結びつけるための貫通孔である、特許請求の範囲第６項に記載のポーチ。
【請求項８】
ポーチ内部に、測定器付属用具収納部、ランセットデバイス収納部、採血針収納部、インスリン注入器収納部、インスリン針収納部および低血糖時摂取用グルコース収納部からなる群から選ばれる収納部を有する、特許請求の範囲第１項に記載のポーチ。
【発明の詳細な説明】
【技術分野】
【０００１】
本発明は、簡易血液測定器やペン型インスリン注入器等の糖尿病関連用具を収納して持ち運ぶのに便利なポーチに関する。なお、本発明のポーチの用途は、前記用途に限定されない。
【背景技術】
【０００２】
インスリン依存型糖尿病患者は、自分自身で血糖値を管理し、必要に応じてインスリンを自己注射する必要があり、外出時等には、血液測定器やペン型インスリン注入器等の糖尿病関連用具を携帯する。このため、通常、糖尿病関連用具は、まとめてセットにして、ポーチやバッグ等に収納して持ち運ばれている。これら糖尿病関連用具を収納するためのポーチは、糖尿病関連用具のメーカがユーザに対して無料で配布されることもある。
【０００３】
特許文献１には、簡易血液測定器と使い捨てチップ（試験片）とランセットデバイス（穿刺用具）をまとめたキットが開示されている。特に、特許文献１の図６および図７で明らかなように、それらキットをセット状態にすることは、通常行われている。
【０００４】
また、特許文献２では、それら糖尿病関連用具をセットにし、持ち運ぶためのポーチが開示されている。これは、ポーチ本体の側面に掛紐が取り付けられたポーチであって、掛紐によりポーチ本体を略Ｖ字状の開口状態で吊り下げた場合、ポーチ本体の前記掛紐取り付け側と反対側が略水平状態となるポーチである。ポーチを吊り下げてもポーチの内容物が落下せず、机上に糖尿病関連用具を置くが如く利用できるものである。
【０００５】
上記特許文献２に記載のポーチに限らず、糖尿病関連用具のメーカがユーザに対して無料または有料で配布するポーチは、その内側にポケットを有しており、そのポケット内に血液測定器やランセットデバイス、使い捨てチップやペン型インスリン注入器等が収納される。
【０００６】
最近になって、これらポーチにおける付加機能として、ポーチ内のポケットに測定器を収納したまま、ユーザが直接に血糖測定を行えるような仕様のものが販売されるようになって来ている。それらポーチの特徴としては、
１）測定器の表面にある血糖値表示面における数値を読み取れるように、測定器を収納しているポケットが、透明部材かメッシュになっている
２）小型測定器の専用使い捨てチップが小型測定器へ挿入しやすいように、挿入孔がポーチの端部に位置するように設計されている
３）小型測定器へ挿入された使い捨てチップの検体適用部へ検体（ランセットデバイスで指先を穿刺して得られた血液滴）を適用しやすいように、検体適用部もポーチの端部に位置するように設計されている
といった点が挙げられる。
【０００７】
【特許文献１】特許３２０２０２７号公報
【特許文献２】特開２００４−０９７５６１号公報
【発明の開示】
【発明が解決しようとする課題】
【０００８】
ポーチ内のポケットに測定器を収納したまま、ユーザが血液測定を行えるような仕様のポーチは、確かに便利であるが、
１）検体を適用する際に、どうしても検体がポーチ内壁に付着する
２）ポーチ内壁に測定器背面が密着している格好になるために、センサ挿入などの測定操作がし難い
といった欠点が生じる。
【課題を解決するための手段】
【０００９】
そこで、前記目的を達成するために、本発明はポーチ本体の内部に測定器が取り付け可能になっているポーチであって、前記ポーチ本体は一辺を関節にして自由に開口可能であり、前記ポーチ内部側の前記関節部分に、測定器のセンサ挿入部を除く一部が連結可能となっており、前記ポーチ内部を開口した際に前記測定器が可動域を有することを特徴とするポーチである。
【発明の効果】
【００１０】
本発明は、この構成により、
１）ユーザはポーチ本体と離れた位置で、検体を測定器へ適用できるため、ポーチから測定器を取り外した状態と同様の利便さで測定が可能となる。
２）検体適用時に、ポーチ内部（ポーチ内壁）を検体で汚染する心配が無くなる。
３）測定終了後は、ポーチを閉じるだけでポーチ内部に測定器を収納した状態にすることが出来、ポーチ内部のポケットへ収納する煩わしさが無くなる。
といったメリットが生じる。
【発明を実施するための最良の形態】
【００１１】
本発明のポーチの一例を、各図に基づき説明する。図１は、本発明に係るポーチ１を閉じた状態を示すもの（図中左）と、収納すべき一般的な測定器２（図中右）との、おおよその大きさの比較を示した斜視図である。図１のように、ポーチ１内に測定器２が十分に収納される大きさへ、ポーチ１の大きさは調整されている。ポーチ１は、開口の際に関節となる一辺１１を有し、測定器２は、その前面に測定結果表示部２２を、下方にセンサ挿入部２３を有する。
【００１２】
本発明のポーチ１において、前記測定器２前面の少なくとも測定結果表示部２２を隠さないように（すなわち使用者が表示部の表示を読み取れるように）透明で、幅を有するバンド３が前記測定器２を固定し、そのバンド３の一部が、前記ポーチ１の前記関節部分１１と可動可能に連結していることが好ましい。図２は、本発明に係るポーチ１が、そのポーチ１本体における一辺を関節にして１８０°の角度で開口した状態を示している。そのポーチ１内部の関節部分１１（いわゆる蝶番）に、幅を有する透明なバンド３の一部が接続されている。このバンド３は、その接続部３１を介して、ポーチ１全体とは独立して可動可能である。開口したポーチ１が、関節部分１１を介して更に開いて約３００°の角度まで開いた状態であれば、図３（Ａ）から（Ｃ）に示すように、このバンド３は露出することになる。この透明バンド３内部に測定器２が実際に収納された状態が図４、図５および図６である。バンド３へ測定器２を収納した状態は図４である。このままでももちろん測定器２へ血液検体を適用することは出来るが、ポーチ１内壁へ検体が付着する可能性が高い。そこで、図５（Ａ）から（Ｃ）に示すようにポーチ１を更に開口することで測定器２を露出させ、更に図６に示すように３６０°まで開いて裏返すことで測定器２を完全に露出させることにより、測定器２におけるセンサ挿入部２３へのセンサ（図示せず）の挿入、およびセンサへの検体適用が極めて平易になると同時に、ポーチ１内壁への検体付着の心配が完全に解消される。
【００１３】
このとき、バンド３内部へ測定器２を確実に収納するために、また、サイズが各社で多少異なる測定器２でも収納できるように、前記幅を有する透明なバンド３が弾性および／または収縮性を有することが好ましい。バンド３の全体が弾性および／または収縮性を有する必要はなく、例えば測定器２の測定結果表示部２２に位置する透明部分のバンド３は弾性および／または収縮性を有さずに単に可撓性を有しており、測定器２の背面に位置する部分が特に透明でなくても構わないゴムで成形されており、結果的にバンド３へ弾性および／または収縮性を付与していても問題ない。
【００１４】
本発明のポーチ１において、前記測定器２前面の測定結果表示部２２を隠さないように、少なくとも２本の紐状部材４が前記測定器２を固定し、その少なくとも２本の紐状部材４が、前記ポーチ１の前記関節部分１１と可動可能に連結していることが好ましい。この状態を図７に示す。基本的に、２本の紐状部材４が測定器２前面の測定結果表示部２２の上辺と下辺に結び付けられていればよく、その紐状部材４の一部がポーチ１内部の関節部分１１に接続されている。ポーチ１とは独立して可動する点、開口したポーチ１が関節部分１１を介して更に裏返した状態であれば測定器２が露出する点などは、紐状部材４と上記バンド３は同様の動きをする。もちろん、紐状部材４の長さは、測定器２のサイズが各社で多少異なる場合に、適宜調節することができる。
【００１５】
本発明のポーチ１において、前記測定器２前面の測定結果表示部２２を隠さないように、前記測定器２の背面及び側面及び前面の一部を覆う剛性部材５が、前記測定器２を保持して固定し、その剛性部材５の一部が、前記ポーチ１の前記関節部分１１と可動可能に連結していることが好ましい。この状態を図８に示す（測定器２を排除した状態は図示せず）。測定器２前面の測定結果表示部２２以外を覆うような幅広の爪状部で、測定器２は、剛性部材５に背面から抱え込まれた状態で固定される。各社の測定器２前面にある測定結果表示部２２面は、前面よりも一段階凹んでいることが多く、そこに爪状部を引っ掛けると、より強固に固定されて好ましい。
【００１６】
本発明のポーチ１において、前記ポーチ１の前記関節部分１１から可動可能のアーム６が伸び、そのアーム６の先端が、前記測定器２の本体の一部と結合することも好ましい。この状態を図９（Ａ）から（Ｃ）に示す。（Ａ）が前面、（Ｂ）が背面からの斜視図、（Ｃ）が（Ｂ）での結合部位の詳細を示す拡大図である。基本的に、図中アーム６の先端が測定器２のいかなる部分と結合されていても問題は無いが、測定器２のセンサ挿入孔２３を除いて結合することが、ユーザの使い勝手から好ましい。また、最近の各社の殆どの測定器２には、携帯電話と同様の提げ紐（ストラップ）を結び付けるための貫通孔６１が装備されており、本態様では、そのストラップ用貫通孔６１を利用することも出来る。すなわち、アーム６の先端部に金属製等の丈夫なリング６２を備え、前記リング６２をストラップ用貫通孔６１へ通して、両者を結合することが出来る。
【００１７】
本発明のポーチ１において、前記ポーチ１の前記関節部分１１と、測定器２との間で、直接に専用ジョイント（例えば金属製蝶番）を設けることにより、可動可能に結合しても良い。（図示せず）
【００１８】
前述のように、本発明のポーチ１は、糖尿病関連の用具を入れるのに使用されることが好ましい。この場合、前記ポーチ１本体内部に、測定器２収納部に加えて、測定器２付属用具収納部、ランセットデバイス収納部、採血針収納部、インスリン注入器収納部、インスリン針収納部および低血糖時摂取用グルコース収納部からなる群から選ばれる収納部を有することが好ましい。そのように各収納部（ポケット）へ糖尿病関連の用具を収納した状態を、図１０に示す。図１０においては、ランセットデバイス７、測定器２に対応する使い捨てセンサが入っている容器８、採血針（ランセット）容器９を収納した一例を図示している。
【００１９】
また、本発明のポーチは、少なくともその表面が撥水性であることが好ましい。これは、本発明のポーチを糖尿病関連用具の収納に使用した場合、トイレで使用することが多いからである。撥水性を付与する手段としては、撥水性素材を使用してポーチを製造する方法やポーチを撥水性素材でコーティングする方法が挙げられる。また、万が一のことを考慮して、ポーチ内部も撥水性にしておき、何かの拍子で付着してしまった汚染血液を拭き取り易くすることが好ましい。
【００２０】
本発明のポーチは、クッション性を有することが好ましい。これは、本発明のポーチを糖尿病関連用具の収納に使用した場合、測定器やペン型インスリン注入器等の用具を収納することとなり、ポーチを落としたりぶつけたりしたとき、これらの用具の破損を防止するためである。各図に示すように、ポーチ１を開口する際、ポーチ１は関節部分１１を介して上面と下面に分かれるが、その上面および下面の両方がクッション性を有することが好ましい。
【００２１】
本発明において、ポーチ１と測定器２が分離不可能な部材及び手段により直接に接続されていても問題は無いが、測定器２のメンテナンス、電池交換等を考慮して、ポーチ１と測定器２が分離可能であることが好ましい。
【００２２】
本発明において、測定器２での測定対象物質としては、グルコースのほか、コレステロールや乳酸などの生体関連物質であることが好ましいが、それ以外の物質であっても、原理的に測定が可能であれば、特に問わない。測定器２での検体種についても、全血のほか、血漿，血清，尿，喀痰，髄液，生活廃液など、原理的に測定が可能であれば、特に問わない。また、測定器２での測定原理は、対応するセンサを用いるものであれば、酵素学的，免疫学的，電気化学検出，光学検出などの任意の技術が採用される。
【００２３】
このポーチ１の大きさは、その用途や利用者の種類等に応じ適宜決定される。ポーチ１本体の大きさは、閉じた状態で、例えば、縦７０〜２３０ｍｍ×横１２０〜３００ｍｍ×幅２０〜８０ｍｍであり、好ましくは、縦１００〜２００ｍｍ×横１５０〜２７０ｍｍ×幅３０〜７０ｍｍであり、より好ましくは、縦１３０〜１７０ｍｍ×横１８０〜２４０ｍｍ×幅４０〜６０ｍｍである。ポーチ１の素材は、特に制限されず、例えば、皮革、合成繊維等であってもよい。
【図面の簡単な説明】
【００２４】
【図１】図１は、本発明のポーチの一例を閉じた状態と、内部に収納される小型測定器の斜視図である。
【図２】図２は、前記ポーチを１８０°開口した状態の斜視図である。
【図３】図３は、前記ポーチをさらに３００°まで開口した状態を、各角度から見た斜視図である。
【図４】図４は、測定器を結合した前記ポーチを１８０°開口した状態を示す斜視図である。
【図５】図５は、測定器を結合した前記ポーチをさらに３００°まで開口した状態を、各角度から見た斜視図である。
【図６】図６は、測定器を結合した前記ポーチを３６０°まで開口した状態を示す斜視図である。
【図７】図７は、測定器を二本の紐状部材で固定する態様の本発明のポーチを、３６０°まで開口した状態を示す斜視図である。
【図８】図８は、測定器を剛性部材で固定する態様の本発明のポーチを、３６０°まで開口した状態を示す斜視図である。
【図９】図９は、測定器に備わる貫通孔をアームで固定する態様のポーチを、３００°まで開口した状態を、各角度から見た斜視図である。
【図１０】図１０は、本発明のポーチへ糖尿病関連の用具を収納した状態を示す斜視図である。
【符号の説明】
【００２５】
１  ポーチ
１１  関節
２  測定器
２２  測定結果表示部
２３  センサ挿入孔
３  幅を有する透明なバンド部
３１  接続部
４  紐状部材
５  剛性部材
６  アーム
６１  ストラップ用貫通孔
６２  リング
７  ランセットデバイス
８  使い捨てセンサが入っている容器
９  採血針（ランセット）容器
【図１】
2010051563.tif 000003
【図２】
2010051563.tif 000004
【図３】
2010051563.tif 000005
【図４】
2010051563.tif 000006
【図５】
2010051563.tif 000007
【図６】
2010051563.tif 000008
【図７】
2010051563.tif 000009
【図８】
2010051563.tif 000010
【図９】
2010051563.tif 000011
【図１０】
2010051563.tif 000012